(57)【要約】【課題】腕部を折り畳むことができて、Ｔシャツなどの衣服の襟首の孔部分からでも、襟首の部分を広げることなく腕部を衣服内に挿入することができながら、腕部を持たなくても開状態に広げることができ、しかも腕部の開動作を片手で容易に行うことができるハンガーを提供する。【解決手段】胴体部２２に、左右一対の腕部２１を枢支させ、各腕部２１に、互いが胴体部２２側に当接または近接させるように把持された際に胴体部同士を開姿勢に回動させるつまみ部２１ａを一体形成し、つまみ部２１ａが互いに接近する方向に把持された際に腕部２１を開いた姿勢にロックするロック部２６ｄを有する昇降体２６を胴体部２２に昇降自在に取り付け、胴体部２２から上方に露出するロック解除部２６ｂを昇降体２６に一体的に設けた。【選択図】    図１
2004167113.tif 000002
【特許請求の範囲】
【請求項１】
衣服を掛ける左右一対の腕部と、
これらの腕部を開閉自在に枢支した姿勢で取り付けた胴体部と、
胴体部より上方に突出する姿勢で取り付けられたフックと、
前記腕部同士が閉じる方向に付勢する閉方向付勢手段と、
各腕部における枢支点近傍から上側に一体的に延設され、互いが胴体部側に当接または近接させるように把持された際に胴体部同士を開姿勢に回動させるつまみ部と、
胴体部に昇降自在に取り付けられ、つまみ部が互いに接近する方向に把持された際につまみ部の一部に係合して腕部が開いた姿勢にロックするロック部と、胴体部から上方に露出し、胴体部に向けて下方に押されることにより前記ロック部のロック状態を解除させるロック解除部とが一体的に設けられている昇降体と、
昇降体をロック状態側に付勢するロック用付勢手段と
を備えたことを特徴とするハンガー。
【請求項２】
閉方向付勢手段は、その端部が腕部の基部に係止された一つ割りリング形状の１個のばねであることを特徴とする請求項１に記載のハンガー。
【請求項３】
各腕部の端部間またはその近傍間にわたって、中央が回動自在に連結されて、腕部が開いた姿勢にされた際に略水平姿勢となる２つ折の補助腕部が連結されていることを特徴とする請求項１または２に記載のハンガー。
【発明の詳細な説明】
【０００１】
【発明の属する技術分野】
本発明はハンガーに関するものである。
【０００２】
【従来の技術】
従来から一般に用いられているハンガーは、フックが取り付けられている部分（以下、胴部と称す）から斜め下方両側に腕部（アーム部）が一体的に延ばされた構成とされている。すなわち、この種の従来のハンガーは、腕部同士が所定角度で開いた状態で固定されている。
【０００３】
Ｔシャツや丸首のセーターなどの衣服をハンガーに掛ける際には、ハンガーを前記Ｔシャツなどの下方（胴部分）から襟首部に向かうように挿入すればよいが、この場合には、フックが襟首部分の孔から出るようにハンガーの腕部などをたぐり寄せる動作が必要になって多くの手間がかかるため、これに代えて、襟首の孔部分に腕部を挿入してこの孔部分を広げながら掛けた状態にすることが多い。しかし、この場合には、襟首の孔部分が広がってしまい、この影響が大きい場合には広がった状態で伸びきってしまう不具合を生じる。このように襟首の孔部分が広がることを抑制すべく、腕部の長さを短めに構成したものも実用化されているが、この構成のものでは、腕部により衣服の肩の途中部分までしか支持しないことになるため、その箇所で段差を生じてしまう。
【０００４】
これらの不具合を解消するものとして、特許文献１（特開２００２−５１８９９号）に記載のハンガーや、特許文献２（実開平６−２６６５２号）に記載の開閉式ハンガーが提案されている。
【０００５】
前記特許文献１に記載のハンガーは、図８〜図１０に示すように、フック１が昇降可能に取り付けられている胴部２の中央に、左右の腕部３ａ，３ｂの基部が回動して開閉自在に枢支され、２つのコイルばね４により、これらの腕部３ａ，３ｂが閉じる方向に付勢されている。そして、腕部３ａ，３ｂ同士を持って開いた際には、これらの腕部３ａ，３ｂの基部に設けた円弧形状の凸部３ｃと凹部３ｄとが互いに嵌合してロックされて開状態が保持されるようになっている。なお、図８における５は、腕部３ａ，３ｂ同士が接触する方向へ付勢する付勢ばねであり、腕部３ａ，３ｂ同士が開いた状態では、この付勢ばね５の付勢力により、前記凸部３ｃと凹部３ｄとの嵌合姿勢が維持されている。
【０００６】
また、腕部３ａ，３ｂが開いている状態でフック１を胴部２内に向けて下降させることにより、フック１下端の傾斜面１ａ，１ｂにより腕部３ａの基部が、図１０において仮想線で示すように、その厚み方向に押し広げられるように移動し、この結果、腕部３ａ，３ｂの基部に形成された凸部３ｃと凹部３ｄとが互いに離れて前記ロック状態が解除され、前記コイルばね４の付勢力により、腕部３ａ，３ｂ同士がコンパクトに閉じた状態に折り畳まれるように構成されている。
【０００７】
この構成によれば、Ｔシャツや丸首のセーターなどの衣服をハンガーに掛ける際には、開状態のハンガーの胴部２を片手で持ちながら、もう片方の手でフック１を押し下げると、図８において仮想線で示すように、腕部３ａ，３ｂ同士がコンパクトに閉じた状態に折り畳まれるので、この閉状態となった腕部３ａ，３ｂを衣服の襟首の孔部分から挿入し、その後、腕部３ａ，３ｂを開いた状態にすることで、比較的容易にハンガーの腕部３ａ，３ｂを挿入することができ、また、襟首の部分が広がることもない。
【０００８】
しかしながら、このような構成でも、腕部３ａ，３ｂ同士を開く場合にはこれらの腕部３ａ，３ｂ同士を手で持ちながら開けなければならない欠点がある。したがって、腕部３ａ，３ｂを閉じてＴシャツなどに挿入した際には、その後にＴシャツなどの衣服を被せた上から腕部３ａ，３ｂを持って広げる動作が必要であるので、この際に、Ｔシャツなどの衣服にしわを生じてしまう恐れがある。
【０００９】
この点に考慮した構造が、前記特許文献２に開示されている。この開閉式ハンガーは、図１１および図１２に示すように、胴部１１の下端に枢支された左右の腕部１２の基部に、上方に立設するつまみ部１３が一体形成され、これらのつまみ部１３を胴部１１側に引き寄せるように把持することで、腕部１２を比較的容易に開くことができるようになっている。また、胴部１１の下端両側部には斜め上方に延びる掛け口１４が形成され、この掛け口１４をつまみ部１３に係止させることで、胴部１１が開いた状態に保持できるように構成されている。
【００１０】
この構造によれば、腕部１２を閉じてＴシャツなどに挿入した後でも、つまみ部１３をつまむことにより腕部１２を開けられるので、Ｔシャツなどの衣服の上から腕部１２を広げる動作を行わなくても済み、前記衣服にしわを生じることがない。
【００１１】
【特許文献１】
特開２００２−５１８９９号公報
【００１２】
【特許文献２】
実開平６−２６６５２号公報
【００１３】
【発明が解決しようとする課題】
しかしながら、上記特許文献１の構成においては、開状態のハンガーの腕部３ａ，３ｂを閉じる際には、ハンガーの胴部２を片手で持ちながら、もう片方の手でフック１を押し下げなければならず、片手で閉動作を行い難い欠点がある。したがって、Ｔシャツなどの衣服を持っていた場合には、その衣服を一旦他の場所に置いて、ハンガーの腕部３ａ，３ｂを閉じてから、再度衣服を持ち直して胴部２の襟首の孔部分から挿入しなければならず、手間がかかる。
【００１４】
また、上記特許文献２の構成においても、開状態のハンガーの腕部１２を閉じる際には、左右の掛け口１４だけをつかむことが不安定であるので、ハンガーの胴部１１を片手で持ちながら、もう片方の手で左右の掛け口１４をつまんで、つまみ部１３から掛け口１４を外さなければならず、片手で閉動作を行うことが困難である。したがって、上記特許文献１の構成の場合と同様な課題がある。
【００１５】
さらに、上記特許文献１の構成においては、２つのコイルばね４の付勢力により腕部３ａ，３ｂを閉じるようになっており、腕部３ａ，３ｂを閉じた状態を良好に維持できるものの、２つのコイルばね４を用いることで部品点数が増えて製造コストの増加を招きやすい欠点がある。
【００１６】
本発明は上記課題や欠点を解決するもので、腕部を閉じた状態に極めて容易に折り畳むことができて、Ｔシャツや丸首のセーターなどの衣服の襟首の孔部分からでも、襟首の部分を広げることなく腕部を衣服内に挿入することができながら、腕部を閉じた状態で衣服に挿入した後に、腕部を持たなくても開状態に容易に広げることができ、さらに製造コストを抑えることが可能なハンガーを提供することを目的とするものである。
【００１７】
【課題を解決するための手段】
上記課題を解決するために本発明の請求項１記載のハンガーは、衣服を掛ける左右一対の腕部と、これらの腕部を開閉自在に枢支した姿勢で取り付けた胴体部と、胴体部より上方に突出する姿勢で取り付けられたフックと、前記腕部同士が閉じる方向に付勢する閉方向付勢手段と、各腕部における枢支点近傍から上側に一体的に延設され、互いが胴体部側に当接または近接させるように把持された際に胴体部同士を開姿勢に回動させるつまみ部と、胴体部に昇降自在に取り付けられ、つまみ部が互いに接近する方向に把持された際につまみ部の一部に係合して腕部が開いた姿勢にロックするロック部と、胴体部から上方に露出し、胴体部に向けて下方に押されることにより前記ロック部のロック状態を解除させるロック解除部とが一体的に設けられている昇降体と、昇降体をロック状態側に付勢するロック用付勢手段とを備えたことを特徴とする。
【００１８】
この構成によれば、腕部が開閉自在に枢支されているので、腕部を閉状態に折り畳んでＴシャツなどの衣服の襟首の部分を広げることなく腕部を衣服内に挿入することができ、また、腕部を閉状態に折り畳んで衣服に挿入した後には、つまみ部を把持することで、腕部を開状態に広げることができる。しかも、腕部を開状態から閉状態にする際には、胴部を持った手の指でロック解除部を下方に押し下げるワンタッチ動作を行うだけ、すなわち片手で、開状態のロックを容易に解除して腕部を閉じることができる。
【００１９】
請求項２記載の発明は、請求項１に記載のハンガーにおいて、閉方向付勢手段は、その端部が腕部の基部に係止された一つ割りリング形状の１個のばねであることを特徴とする。
【００２０】
この構成によれば、閉方向付勢手段として１個のばねを用いているだけであるので、部品点数が低減され、製造コストを抑えることができる。
請求項３記載の発明は、請求項１または２に記載のハンガーにおいて、各腕部の端部間またはその近傍間にわたって、中央が回動自在に連結されて、腕部が開いた姿勢にされた際に略水平姿勢となる２つ折の補助腕部が連結されていることを特徴とする。
【００２１】
この構成によれば、腕部を開状態に広げると、補助腕部が略水平姿勢となった状態で広がり、ズボンやスカートなどを掛けることも可能になる。
【００２２】
【発明の実施の形態】
以下、本発明の実施の形態に係るハンガーを図面に基づき説明する。
図１〜図５に示すように、このハンガーは、衣服を掛ける左右一対の腕部２１と、これらの腕部２１を横軸２５を介して開閉自在に枢支した姿勢で取り付けた胴体部２２と、胴体部２２より上方に突出する姿勢で取り付けられたフック２３と、腕部２１同士が閉じる方向に付勢する閉方向付勢手段としての一つ割りリング形状の１個のばね（リングばねと称す）２４と、各腕部２１における枢支点である横軸２５近傍から斜め上側に一体的に延長されて形成されたつまみ部２１ａと、胴体部２２に昇降自在に取り付けられた昇降体２６と、昇降体２６を上方に付勢する圧縮ばね２７などから構成されている。
【００２３】
図３、図４に示すように、胴体部２２は、上面部２２ａと、側面視して上面部の両端部からそれぞれ下方に延設された１対の壁面部２２ｂと、これらの壁面部２２ａの中央部同士をつなぐ中央接続部２２ｃとが一体化された構成とされている。そして、胴体部２２の壁面部２２ａの下部に挿通された横軸２５を中心として腕部２１が開閉自在に支持されている。また、つまみ部２１ａには上下に長い長孔２１ｄを通してリングばね２４が挿通され、リングばね２４の両端が腕部２１の横軸２５近傍箇所に係止されることで、腕部２１同士が閉じる方向に付勢されている。
【００２４】
昇降体２６には、腕部２１を開状態にロックするロック部２６ｄと、前記ロック状態を解除するためのロック解除部２６ｂとが設けられている。
詳述すると、昇降体２６は、高さ方向中央に設けられた円柱部２６ａが、胴体部２２の上面部２２ａを貫通して上下にスライド自在に支持され、円柱部２６ａの上方に、円形鍔状のロック解除部２６ｂが一体形成されている。ロック解除部２６ｂは胴体部２２の上面部２２ａに上方から臨む位置に配置され、ロック解除部２６ｂが手の指で下方に押された際には、胴体部２２の上面部２２ａに当接するまで下降する。昇降体２６における円柱部２６ａの下方には、両側方に突出する係止爪２６ｃが設けられたブロック状のロック部２６ｄが円柱部２６ａに続いて一体形成されている。ロック部２６ｄの係止爪２６ｃは、つまみ部２１ａの上部に形成された係止孔爪部２１ｂに係合可能とされている。また、フック２３の下部は、昇降体２６および胴体部２２の中央接続部２２ｃを下方に貫通して配設され、フック２３の下端部には抜け止めワッシャ２８が取り付けられている。
【００２５】
上記構成において、腕部２１を開けた状態では、図３に示すように、圧縮ばね２７で上方に付勢されている昇降体２６の係止爪２６ｃがつまみ部２１ａの係止孔爪部２１ｂに係合して、開状態を維持している。
【００２６】
この状態から、Ｔシャツや丸首のセーターなどの衣服をハンガーに掛けるに際して、襟首の部分が広がることがないように、ハンガーの腕部２１を閉じる場合には、ハンガーの胴体部２２を片手の例えば親指と中指や薬指で持ちながら、その人差し指で昇降体２６のロック解除部２６ｂを押し下げる。これにより、昇降体２６の係止爪２６ｃがつまみ部２１ａの係止孔爪部２１ｂから離脱し、腕部２１同士がリングばね２４の付勢力により、腕部２１同士が、図２に示すようなコンパクトに閉じた状態に折り畳まれる。したがって、この閉状態となった腕部２１を襟首の孔部分から挿入することができ、衣服の襟首の部分は広がることがない。そして、この後に、つまみ部２１ａを把持して胴体部２２内に押し込めることで、再度、昇降体２６の係止爪２６ｃがつまみ部２１ａの係止孔爪部２１ｂに係合して、開状態を維持して、腕部２１同士が開状態に維持される。
【００２７】
このように本発明によれば、ハンガーの腕部２１を開ける動作を片手でワンタッチで行うことができるため、極めて便利であり、手間が殆どかからない。また、ハンガーの腕部２１を折り畳んで衣服に挿入した後でも、つまみ部２１ａを把持するだけのワンタッチ動作により、簡単に腕部２１を開けることができ、衣服に触らなくて済むので、衣服にしわを生じることがない。
【００２８】
また、ハンガーの腕部２１を閉じる閉方向付勢手段として１個のリングばね２４を用いているだけであるので、図９に示すように２つのコイルばね４を用いている場合と比較して、部品点数が低減され、製造コストを抑えることができる。
【００２９】
次に、図６および図７は本発明の他の実施の形態を示すもので、この実施の形態においては、各腕部２１の端部２１ｃ間にわたって、２つ折の補助腕部３１が連結されている。この補助腕部３１は、中央が回動軸３２を介して回動自在に連結されており、また、腕部２１の端部２１ｃと補助腕部３１とは連結軸３３を介して回動自在に連結されている。そして、腕部２１を閉じた際には、図７に示すように、腕部２１と補助腕部３１とが略菱形形状のコンパクトな形状となる一方、腕部２１を開いた際には、図６に示すように、両補助腕部３１が略水平で一直線となった姿勢となるように構成されている。なお、連結軸３３にて補助腕部３１を連結する箇所は、腕部２１の端部２１ｃ近傍箇所であってもよい。
【００３０】
この構成によれば、腕部２１を開状態に広げると、補助腕部３１が略水平姿勢となった状態で広がるので、この補助腕部３１にズボンやスカートなどを掛けることができ、さらに便利になる。
【００３１】
【発明の効果】
以上のように本発明によれば、衣服を掛ける左右一対の腕部と、これらの腕部を開閉自在に枢支した姿勢で取り付けた胴体部と、胴体部より上方に突出する姿勢で取り付けられたフックと、前記腕部同士が閉じる方向に付勢する閉方向付勢手段と、各腕部における枢支点近傍から上側に一体的に延設され、互いが胴体部側に当接または近接させるように把持された際に胴体部同士を開姿勢に回動させるつまみ部と、胴体部に昇降自在に取り付けられ、つまみ部が互いに接近する方向に把持された際につまみ部の一部に係合して腕部が開いた姿勢にロックするロック部と、胴体部から上方に露出し、胴体部に向けて下方に押されることにより前記ロック部のロック状態を解除させるロック解除部とが一体的に設けられている昇降体と、昇降体をロック状態側に付勢するロック用付勢手段とを備えたことにより、ハンガーの腕部を開ける動作を片手でしかもワンタッチで行うことができるため、極めて便利であり、手間が殆どかからない。また、ハンガーの腕部を折り畳んで衣服に挿入した後でも、つまみ部を把持するだけのワンタッチ動作により、簡単に腕部を開けることができて、衣服に触らなくて済むので、衣服にしわを生じることがない。このように、極めて簡単に腕部を折り畳むことができて、Ｔシャツや丸首のセーターなどの衣服の襟首の孔部分からでも、襟首の部分を広げることなく腕部を衣服内に挿入することができながら、腕部を持たなくても開状態に広げることができ、しかも腕部の開動作を片手で容易かつワンタッチで行うことができて、使い勝手が良好である。
【００３２】
また、閉方向付勢手段として、その端部が腕部の基部に係止された一つ割りリング形状の１個のばねで構成することで、部品点数が低減され、製造コストを抑えることができる。
【００３３】
さらに、各腕部の端部間またはその近傍間にわたって、中央が回動自在に連結されて、腕部が開いた姿勢にされた際に略水平姿勢となる２つ折の補助腕部を連結させることで、ズボンやスカートなどを掛けることも可能になり、一層、使い勝手が良好となる。
【図面の簡単な説明】
【図１】本発明の実施の形態にかかるハンガーの全体正面図で、腕部を開いた状態を示す。
【図２】同ハンガーの全体正面図で、腕部を閉じた状態を示す。
【図３】同ハンガーの要部正面図で、腕部を開いた状態を示す。
【図４】同ハンガーの要部正面図で、腕部を閉じた状態を示す。
【図５】同ハンガーの要部斜視図である。
【図６】本発明の他の実施の形態に係るハンガーの全体正面図で、腕部を開いた状態を示す。
【図７】同ハンガーの全体正面図で、腕部を閉じた状態を示す。
【図８】従来のハンガーの全体斜視図である。
【図９】同従来のハンガーの要部正面図である。
【図１０】同従来のハンガーの要部側面断面図である。
【図１１】その他の従来のハンガーの全体斜視図で、腕部を開いた状態を示す。
【図１２】同その他の従来のハンガーの全体斜視図で、腕部を閉じた状態を示す。
【符号の説明】
２１      腕部
２１ａ    つまみ部
２１ｂ    係止孔爪部
２２      胴体部
２３      フック
２４      ばね
２５      横軸
２６      昇降体
２６ｄ    ロック部
２６ｂ    ロック解除部
２６ｃ    係止爪
２７      圧縮ばね
３１      補助腕部
３２      回動軸
３３      連結軸
【図１】
2004167113.tif 000003
【図２】
2004167113.tif 000004
【図３】
2004167113.tif 000005
【図４】
2004167113.tif 000006
【図５】
2004167113.tif 000007
【図６】
2004167113.tif 000008
【図７】
2004167113.tif 000009
【図８】
2004167113.tif 000010
【図９】
2004167113.tif 000011
【図１０】
2004167113.tif 000012
【図１１】
2004167113.tif 000013
【図１２】
2004167113.tif 000014